(57)【要約】【課題】ＬＥＤディスプレーを使用するときにおけるワイヤボンディングすることによる色のバラツキの問題点を解消する。【解決手段】発光ダイオード本体２の側面に表面側から裏面側に通ずる凹部４、４を設けると共に該凹部４、４の表面に絶縁層５、５を形成する。発光ダイオード本体２の裏面に再配線回路６、６とバンプ７、７を形成する。前記凹部４、４内に導電体８、８を形成し該導電体８、８によって発光ダイオード本体２の表面側の電極３、３と裏面側の再配線回路６、６及びバンプ７、７とを接続する。【選択図】図２
2009099584.tif 000002
【特許請求の範囲】
【請求項１】
発光ダイオード本体の側面に表面側から裏面側に通ずる凹部を設けると共に該凹部の表面に絶縁層を形成する一方、該発光ダイオード本体の裏面に再配線回路とバンプを形成し、更に該発光ダイオード本体の表面側の電極と裏面側の再配線回路とを前記凹部内に形成した導電体をもって接続したことを特徴とするＬＥＤディスプレー用発光ダイオード。
【請求項２】
発光ダイオード本体の相対する両側面に表面側から裏面側に通ずる凹部を設けると共に該凹部の表面に絶縁層を形成する一方、該発光ダイオード本体の裏面に再配線回路とバンプを形成し、更に該発光ダイオード本体の表面側の電極と裏面側の再配線回路とを前記凹部内に形成した導電体をもって接続したことを特徴とするＬＥＤディスプレー用発光ダイオード。
【請求項３】
再配線回路とバンプをスクリーン印刷によって形成してなる請求項１又は２記載のＬＥＤディスプレー用発光ダイオード。
【発明の詳細な説明】
【技術分野】
【０００１】
本発明はＬＥＤディスプレー用発光ダイオードに関するものである。
【背景技術】
【０００２】
発光ダイオードと該発光ダイオードの発光色と異なる色の蛍光体とを組み合わせ、両者の色を混合して適宜の色に発光させるＬＥＤディスプレーが種々の分野において用いられている。尚、発光する色については、例えば青色の発光色を出力する発光ダイオード上に黄色の蛍光体を配すると白色の混合色となり、また赤色の発光色を出力する発光ダイオード上に黄色の蛍光体を配するとオレンジ色の混合色となる等、異なる色を適宜に組み合わせることによって所望の混合色を得るようにしている。
【０００３】
そして、斯かる従来のＬＥＤディスプレーは、図３に示す如く構成されている。即ち、該ＬＥＤディスプレー１００は、ケース１０１の底部に、発光ダイオード１０２をワイヤボンディングしたリードフレーム１０３を収め、該ケース１０１内に、蛍光体粉末を混入した樹脂１０４を注入して固化させてなるものである。尚、図中１０２ａ、１０２ａはボンディングワイヤである。
【０００４】
また、発光ダイオードをリードフレームや配線パターンにワイヤボンディングによって電気的に接続することは、例えば特許文献１、２に示す如く周知である。
【０００５】
【特許文献１】特開２００７−２３４４７０号公報
【特許文献２】実用新案登録第３１１４１２９号公報
【発明の開示】
【発明が解決しようとする課題】
【０００６】
しかし、斯かる従来のＬＥＤディスプレー１００の場合には、実際の使用時において発光ダイオード１０２が発光したとき、ワイヤボンディング用のワイヤの影が出ることにより、色のバラツキが生ずるという問題点がある。
【０００７】
本発明は上記の点に鑑みなされたものであって、従来の発光ダイオードの如きリードフレームや配線パターンへの接合を、ワイヤボンディングによる接合によることなく、発光ダイオード本体の側面に設けた凹部内に形成した導電体によって該発光ダイオード本体の表面側の電極と裏面側に形成した再配線回路及びバンプとを接続して行うようになし、もってボンディングワイヤの存在による上記従来のＬＥＤディスプレーの問題点を悉く解消することができるようになしたＬＥＤディスプレー用発光ダイオードを提供しようとするものである。
【課題を解決するための手段】
【０００８】
而して、本発明に係るＬＥＤディスプレー用発光ダイオードは、発光ダイオード本体の側面に表面側から裏面側に通ずる凹部を設けると共に該凹部の表面に絶縁層を形成する一方、該発光ダイオード本体の裏面に再配線回路とバンプを形成し、更に該発光ダイオード本体の表面側の電極と裏面側の再配線回路とを前記凹部内に形成した導電体をもって接続したことを特徴とするものである。
【０００９】
また、上記構成において、凹部は発光ダイオード本体の相対向する両側面に設けるようにしてもよい。
【００１０】
また、上記構成において、再配線回路とバンプをスクリーン印刷によって形成するようにしてもよい。
【発明の効果】
【００１１】
本発明は上記の如き構成であり、発光ダイオード本体の側面に設けた凹部内に形成した導電体によって該発光ダイオード本体の表面側（発光面）の電極と裏面側に形成した再配線回路及びバンプとを接続することによって、発光ダイオード本体のリードフレームや配線パターンへの接合を行うものであるから、これをＬＥＤディスプレーに用い、該ＬＥＤディスプレーを使用したときにおいて、従来の発光ダイオードの場合におけるが如きワイヤの影による色のバラツキの問題が起こらないものである。また、発光ダイオード本体２の側面に設ける凹部４、４は、例えばウエハのダイシングラインに透孔を穿孔することによって容易に形成することができるものである。
【発明を実施するための最良の形態】
【００１２】
以下、本発明に係るＬＥＤディスプレー用発光ダイオードを実施するための最良の形態について、図面を参照して説明する。
【００１３】
図１は本発明の実施形態に係るＬＥＤディスプレー用発光ダイオードの斜視図、図２は内部機構を省略して示した中央縦断正面図である。
【００１４】
図中、１はＬＥＤディスプレー用発光ダイオードである。２は発光ダイオード本体であり、３、３は該発光ダイオード本体２の表面側（発光面）の電極である。また、該発光ダイオード本体２の相対向する両側面、即ち図１及び図２において左右側の両側面には、表面側から裏面側に通ずる凹部４、４を設けると共に該凹部４、４の表面に絶縁層５、５を形成している。尚、該絶縁層５、５はスルーホール印刷等によるポリイミド等の樹脂により形成している。また、発光ダイオード本体２の側面に設ける凹部４、４は、例えばウエハのダイシングラインに透孔を穿孔することによって形成することができる。
【００１５】
６、６は前記発光ダイオード本体２の裏面に形成した再配線回路であり、７、７は該再配線回路に設けたバンプである。尚、該バンプ７、７は、これを加熱溶融させることによって接続するものである。また、本実施形態では、これらの再配線回路６、６とバンプ７、７はスクリーン印刷によって形成している。
【００１６】
８、８は前記凹部４、４内に形成した導電体であり、一方側の端部を前記発光ダイオード本体２の表面側の電極３、３に夫々接続すると共に、他方側の端部を前記発光ダイオード本体２の裏面側の再配線回路６、６に夫々接続している。また、該導電体８、８はメッキによる金属薄膜又はスルーホール印刷によって形成している。
【００１７】
本実施形態は、上記の如く、発光ダイオード本体２の側面に設けた凹部４、４内に形成した導電体８、８によって該発光ダイオード本体２の表面側（発光面）の電極３、３と裏面側に形成した再配線回路６、６及びバンプ７、７とを接続することによって、発光ダイオード本体２のリードフレームや配線パターンへの接合を行うものであるから、これをＬＥＤディスプレーに用い、該ＬＥＤディスプレーを使用したときにおいて、従来の発光ダイオードの場合におけるが如きワイヤの影による色のバラツキの問題が起こらないものである。
【図面の簡単な説明】
【００１８】
【図１】本発明の実施形態に係るＬＥＤディスプレー用発光ダイオードの斜視図である。
【図２】同ＬＥＤディスプレー用発光ダイオードの内部機構を省略して示した中央縦断正面図である。
【図３】従来の発光ダイオードを用いたＬＥＤディスプレーの説明図である。
【符号の説明】
【００１９】
１  ＬＥＤディスプレー用発光ダイオード
２  発光ダイオード本体
３、３  電極
４、４  凹部
５、５  絶縁層
６、６  再配線回路
７、７  バンプ
８、８  導電体
【図１】
2009099584.tif 000003
【図２】
2009099584.tif 000004
【図３】
2009099584.tif 000005